(57)【要約】【目的】有線／無線を問わず既にあるＬＡＮ環境をそのまま利用して、ＬＡＮを構成する任意のコンピュータで作成したＦＡＸ原稿を送信することができるＦＡＸシステムを提供すること。【構成】ＬＡＮインターフェースを有する１台以上のコンピュータと、ＬＡＮインターフェースと第１の無線通信手段とを有する端末装置と、第２の無線通信手段を有するＦＡＸ装置とを含むＦＡＸシステムにおいて、ＬＡＮを構成する任意の前記コンピュータから前記ＬＡＮを介して前記端末装置へ送られたＦＡＸ原稿データを、前記端末装置が前記第１の無線通信手段を介して送信し、前記ＦＡＸ装置は前記第２の無線通信手段を介して受信した前記ＦＡＸ原稿データを所定の送付先へ電話回線を介して送信することを特徴とする。【選択図】      図１
2004221833.tif 000002
【特許請求の範囲】
【請求項１】
ＬＡＮインターフェースを有する１台以上のコンピュータと、ＬＡＮインターフェースと第１の無線通信手段とを有する端末装置と、第２の無線通信手段を有するＦＡＸ装置とを含むＦＡＸシステムにおいて、
ＬＡＮを構成する任意の前記コンピュータから前記ＬＡＮを介して前記端末装置へ送られたＦＡＸ原稿データを、前記端末装置が前記第１の無線通信手段を介して送信し、前記ＦＡＸ装置は前記第２の無線通信手段を介して受信した前記ＦＡＸ原稿データを所定の送付先へ電話回線を介して送信することを特徴とするＦＡＸシステム。
【請求項２】
前記端末装置が記憶手段を備え、該記憶手段に前記ＦＡＸ原稿データを含むＦＡＸ送付に必要な情報を記憶した後に、前記の情報を前記第１の無線通信手段を介して送信することを特徴とする請求項１記載のＦＡＸシステム。
【請求項３】
前記端末装置が記憶手段を備え、該記憶手段に前記ＦＡＸ原稿データを含むＦＡＸ送付に必要な情報を記憶し、前記ＦＡＸ装置との通信によって電話回線が使用可能であることを確認した後に、前記の情報を前記第１の無線通信手段を介して送信することを特徴とする請求項１記載のＦＡＸシステム。
【請求項４】
前記端末装置が記憶手段を備え、該記憶手段に前記ＦＡＸ原稿データを含むＦＡＸ送付に必要な情報を記憶し、前記ＦＡＸ装置との通信によってＦＡＸ装置のスキャナ部より別のＦＡＸ原稿が読み取り中でないことを確認した後に、前記の情報を前記第１の無線通信手段を介して送信することを特徴とする請求項１記載のＦＡＸシステム。
【請求項５】
前記端末装置が記憶手段を備え、該記憶手段に前記ＦＡＸ原稿データを含むＦＡＸ送付に必要な情報を記憶し、前記ＦＡＸ装置との通信によって電話回線が使用可能であり、且つ、ＦＡＸ装置のスキャナ部より別のＦＡＸ原稿が読み取り中でないことを確認した後に、前記の情報を前記第１の無線通信手段を介して送信することを特徴とする請求項１記載のＦＡＸシステム。
【請求項６】
前記ＦＡＸ装置が記憶手段を備え、該記憶手段に前記ＦＡＸ原稿データを含むＦＡＸ送付に必要な情報を記憶した後に、該データを電話回線を介して送信することを特徴とする請求項１〜５の何れかに記載のＦＡＸシステム。
【請求項７】
前記ＦＡＸ装置が記憶手段を備え、該記憶手段に前記ＦＡＸ原稿データを含むＦＡＸ送付に必要な情報を記憶し、電話回線が使用可能であることを確認した後に、該データを電話回線を介して送信することを特徴とする請求項１〜５の何れかに記載のＦＡＸシステム。
【請求項８】
前記ＦＡＸ装置が記憶手段を備え、該記憶手段に前記ＦＡＸ原稿データを含むＦＡＸ送付に必要な情報を記憶し、ＦＡＸ装置のスキャナ部より別のＦＡＸ原稿が読み取り中でないことを確認した後に、該データを電話回線を介して送信することを特徴とする請求項１〜５の何れかに記載のＦＡＸシステム。
【請求項９】
前記ＦＡＸ装置が記憶手段を備え、該記憶手段に前記ＦＡＸ原稿データを含むＦＡＸ送付に必要な情報を記憶し、電話回線が使用可能であり、且つ、ＦＡＸ装置のスキャナ部より別のＦＡＸ原稿が読み取り中でないことを確認した後に、該データを電話回線を介して送信することを特徴とする請求項１〜５の何れかに記載のＦＡＸシステム。
【請求項１０】
前記ＦＡＸ装置が記憶手段を備え、該記憶手段にＦＡＸのスキャナ部より入力されたＦＡＸ原稿を含むＦＡＸ送付に必要な情報を記憶し、電話回線が使用可能となった後に、該原稿を電話回線を介して送信することを特徴とする請求項１〜９の何れかに記載のＦＡＸシステム。
【請求項１１】
前記コンピュータから送られたＦＡＸ原稿データが所定の送付先へ送信できなかったことを前記コンピュータが検出した場合、前記コンピュータの出力手段にその旨を出力することを特徴とする請求項１〜１０の何れかに記載のＦＡＸシステム。
【請求項１２】
前記コンピュータから送られたＦＡＸ原稿データが所定の送付先へ送信できなかったことを前記端末装置が検出した場合、前記ＬＡＮを介して前記コンピュータの出力手段にその旨を出力することを特徴とする請求項１〜１１の何れかに記載のＦＡＸシステム。
【請求項１３】
前記コンピュータから送られたＦＡＸ原稿データが所定の送付先へ送信できなかったことを前記ＦＡＸ装置が検出した場合、前記第１、第２の無線通信手段及び前記ＬＡＮを介して前記コンピュータの出力手段にその旨を出力することを特徴とする請求項１〜１２の何れかに記載のＦＡＸシステム。
【発明の詳細な説明】
【０００１】
【発明の属する技術分野】
本発明は、ＦＡＸシステムに係り、詳しくはローカルエリアネットワーク（ＬＡＮ）に接続している任意のコンピュータ上で作成されたＦＡＸ原稿を送信するシステムに関する。
【０００２】
【従来の技術】
コンピュータが普及するに連れ、各種の文書・原稿がコンピュータのアプリケーションソフトを用いて作成されるようになってきている。ＦＡＸ原稿に関しても、文書作成／作図ソフト等を用いてコンピュータ上で作成される機会が増えている。
従来はコンピュータ上で作成したＦＡＸ原稿は、プリンタ等の出力デバイスを用いて紙に出力した後、その紙をＦＡＸに読み込ませて送信するという手順を踏むことが一般的であった。
このような手順は手間が掛かり、又、受信したＦＡＸ原稿の印字品質が落ちることがある。
ＦＡＸモデムを利用することでこの問題を解決できる。コンピュータ上で作成したＦＡＸ原稿をＦＡＸモデムを用いて送信することにより、一旦紙に出力する手間が省け、且つ、受信側の印字品質も良好なものとなる。
しかし、企業等においてはＦＡＸモデムはそれほど普及していない。考えられる原因としては、
・各個人で見た場合、一般的にＦＡＸの使用頻度はそれほど高くなく、ＦＡＸモデムを各コンピュータに導入することによりコストが上昇してしまう。
【０００３】
・ＦＡＸモデムを機能させるにはコンピュータを電話回線に繋ぐ必要があり、配線等の手間が大きい。
等が挙げられる。
上記問題を解決する別の方法として、ＦＡＸをＬＡＮに繋げて利用するシステム（特開平８−２９３９８０号）が知られている。特開平８−２９３９８０号においては、ＦＡＸは有線ＬＡＮ又は無線ＬＡＮに繋がっている。該発明は、ＬＡＮに繋がっているコンピュータでＦＡＸを受信することに関するものであるが、該発明の図１によりＬＡＮに繋がってているコンピュータからＦＡＸの送受信が可能となることは容易に推測できる。
又、該発明では、有線ＬＡＮ又は無線ＬＡＮ環境を想定しているが、現在のＬＡＮの構築方法としては有線ＬＡＮが一般的である。
【０００４】
【発明が解決しようとする課題】
一般にＦＡＸは、電話回線のモジュラージャックの近くに設置されることが多い。モジュラージャックの位置と有線ＬＡＮのハブの位置は近いとは限らないので、この場合はＦＡＸを有線ＬＡＮに繋げるために、有線ＬＡＮケーブルをＦＡＸまで引く必要があり、配線が煩わしくなることがある（図２）。
携帯電話やＰＨＳ等の無線電話回線を使い、ＦＡＸを有線ＬＡＮのハブの近くに配置すれば配線の問題は解決されるが、一般に無線電話回線は通信費が高く回線品質は低いため、ＦＡＸの通信手段として使われる可能性は低い（図３）。
無線ＬＡＮによっても配線の問題は解決され得る。無線ＬＡＮは、次第に普及してきているが、有線ＬＡＮに比べてＬＡＮ構築に掛かるコストが高い、据え置き型のデスクトップコンピュータが多い環境では無線化のメリットが少ない等の理由から、汎用的なＬＡＮの実現方法とは言い難い（図４）。
本発明は上記問題に鑑みてなされたもので、その目的とする処は、有線／無線を問わず既にあるＬＡＮ環境をそのまま利用して、ＬＡＮを構成する任意のコンピュータで作成したＦＡＸ原稿を送信することができるＦＡＸシステムを提供することにある。
【０００５】
【課題を解決するための手段】
上記目的を達成するため、本発明は、ＬＡＮインターフェースを有する１台以上のコンピュータと、ＬＡＮインターフェースと第１の無線通信手段とを有する端末装置と、第２の無線通信手段を有するＦＡＸ装置とを含むＦＡＸシステムにおいて、ＬＡＮを構成する任意の前記コンピュータから前記ＬＡＮを介して前記端末装置へ送られたＦＡＸ原稿データを、前記端末装置が前記第１の無線通信手段を介して送信し、前記ＦＡＸ装置は前記第２の無線通信手段を介して受信した前記ＦＡＸ原稿データを所定の送付先へ電話回線を介して送信することを特徴とする。
【０００６】
【発明の実施の形態】
以下に本発明の実施の形態を添付図面に基づいて説明する。
＜実施の形態１＞
本発明の実施の形態１におけるＦＡＸシステムは図１の構成である。１１は本発明に係るＦＡＸ装置、２１は端末装置、３１〜３５はコンピュータである。端末装置２１とコンピュータ３１〜３５は、有線ＬＡＮインターフェースを備えており、これによってＬＡＮを形成している。
ＦＡＸ装置１１の構成例を図５に示す。
【０００７】
１０１は端末装置２１との通信を行うための無線通信部、１０２は電話回線と接続するための電話回線Ｉ／Ｆ（インターフェース）、１０３はスキャナ部、１０４はプリンタ部、１０５はメモリ、１０６は操作部、１０７は表示部、１０８はマイク／スピーカーである。１０９は１０１〜１０８の制御を行い、又、データに対して所定の処理を行う制御・演算処理部である。
端末装置２１の制御部の構成例を図６に示す。
【０００８】
２０１は有線ＬＡＮと接続するための有線ＬＡＮＩ／Ｆ、２０２はＦＡＸ装置１１との通信を行うための無線通信部、２０３はメモリ、２０４はユーザーが端末装置を操作したりユーザーに端末装置の状態を伝えたりするための入出力部である。２０５は２０１〜２０４の制御を行い、又、データに対して所定の処理を行う制御・演算処理部である。
コンピュータ３１上で作成されたＦＡＸ原稿を送信する手順を以下に示す（図７）。
【０００９】
ＦＡＸ原稿は、ワープロのデータ形式であったり、画像データであったり、テキストであったりする。即ち、ＦＡＸデータ形式であるとは限らない。この場合は、ＦＡＸ原稿に対してコンピュータ３１上でＭＨ（Ｍｏｄｉｆｉｅｄ  Ｈｕｆｆｍａｎ）符号化等の処理を行い、ＦＡＸデータ形式に変換する。
ＦＡＸデータは、ＬＡＮを介して送ることができるようパケット化（図８）等の処理が行われた後、有線ＬＡＮを介して端末装置２１へと送られる。
端末装置２１へと送られたデータは、有線ＬＡＮＩ／Ｆ２０１より取り込まれる。ＬＡＮを通ってきたデータは、通常パケット化され、プリアンブル・ヘッダ等が付加されている（図８）。このパケット化データを再構成してＦＡＸ装置が受け取ることのできるデータ形式に変換する作業を制御・演算処理部２０５が行う。再構成の例として、付加されたプリアンブル・ヘッダ若しくはその一部のみを所定の値に変更するというものや、パケット化データからデータを一旦復元して、端末装置・ＦＡＸ装置間の通信に最適なデータ形式に変換するというものが挙げられる。
再構成されたデータは、無線通信部２０２より送出される。送出されたこのデータをＦＡＸ装置１１の無線通信部１０１が受信する。受信したデータは、通常無線通信に適したデータ形式になっている。制御・演算処理部１０９は、受信したこのデータをＦＡＸ通信標準で定められているデータに変換した後、電話回線Ｉ／Ｆ１０２からＦＡＸの宛先へと送る。
ここでは、コンピュータ３１でＦＡＸ原稿を作成するとしたが、同様の処理によりＬＡＮに接続されている任意のコンピュータ上で作成されたＦＡＸ原稿を同様の経路で送信することができる。
一方、任意のコンピュータ上で作成されたＦＡＸ原稿をＦＡＸデータに変換する処理を特定のコンピュータのみが行う構成にしても良い。この場合でも、ＦＡＸ原稿を作成するコンピュータと、それをＦＡＸデータに変換するコンピュータが異なるということ以外はシステム構成・データの経路は同じである。本発明は、ＦＡＸ原稿作成とそれをＦＡＸデータに変換する処理とを行うコンピュータに関して特徴付けたものではないため、本構成も本発明に包含される。
以下ではコンピュータ・端末装置間，端末装置・ＦＡＸ装置間に関して個別に動作を説明する。
コンピュータと端末装置とはＬＡＮを介して繋がっている。端末装置のドライバを用意することで、コンピュータは端末装置２１をネットワーク上にある出力デバイスの１つとして扱うことができる。利用者は、ＦＡＸ原稿データ、出力先である端末装置２１、ＦＡＸの宛先電話番号、ＦＡＸの送信オプション等を指定して送信コマンドを入力する。
送信コマンドが入力されると、コンピュータは図９のフローチャートの処理を行う。上で述べたＦＡＸ原稿データは、ＦＡＸデータ形式とは限らない。ＦＡＸ原稿データを解析し（Ｓ９０１）、ＦＡＸデータ形式でない場合は、ＦＡＸデータ形式に変換する（Ｓ９０３）。ここで言うＦＡＸデータ形式とは、ＦＡＸ通信標準で定められているデータ（例：ＭＨ符号化データ）であっても良く、独自のデータ形式であっても良い。独自のデータ形式の場合は、ＦＡＸ装置において独自データ形式からＦＡＸ通信標準で定められているデータに変換される。
ＦＡＸデータ形式の原稿データと共にＦＡＸの宛先電話番号、ＦＡＸの送信オプション等のデータは、ＬＡＮで送られるようにパケット化（Ｓ９０４）された後、有線ＬＡＮＩ／Ｆより送出される（Ｓ９０５）。
端末装置２１においては、有線ＬＡＮＩ／Ｆ２０１からこのパケット化データを受信する。受信したこのパケット化データは、ＦＡＸ装置が受け取ることのできるデータ形式に再構成されＦＡＸ装置へ送られる。
逆にＦＡＸ装置から通信エラー等の情報が送られてきた場合は、端末装置はその情報中に含まれている送信元ＩＤ情報に基づいて、ＦＡＸ送信したコンピュータの画面・マイク等の出力手段にエラーが生じた旨を出力させる。
端末装置とＦＡＸ装置とは無線で通信を行う。端末装置は、通常、通信相手はＦＡＸ装置１台のみである。ＦＡＸ装置は、一般に１台以上の端末装置と通信する（図１０）。
端末装置からＦＡＸ装置へ送られたデータは、ＦＡＸ装置の無線通信部１０１で受信される。受信したデータは、制御・演算処理部１０９においてＦＡＸ通信標準で定められているデータに変換された後、メモリ１０５に一旦保存される。制御・演算処理部１０９は、電話回線が別のＦＡＸの送受信に使用されているかどうかを判断し、使用されていればその通信が終了した後に送信を開始する（図１１、Ｓ１１０３）。
スキャナ部１０３から入力されたＦＡＸ原稿データも同様にＦＡＸ装置のメモリ１０５に一旦保存される。この場合、送信先電話番号等は通常は操作部１０６から入力されるが、その情報も上の場合と同様にメモリ１０５に一旦保存される。制御・演算処理部１０９は、電話回線が別のＦＡＸの送受信に使用されているかどうかを判断し、使用されていればその通信が終了した後に保存された情報に基づいて送信を開始する（図１１、Ｓ１１０３）。
通信エラー等で送信できなかった場合は、その旨の情報をエラー原因情報と共に表示部１０７に出力し、又、無線通信部１０１より送信する（Ｓ１１０５）。
＜実施の形態２＞
実施の形態１では、コンピュータ上で作成したＦＡＸ原稿をコンピュータ上でＦＡＸデータ形式に変換していた。本実施の形態においては、ＦＡＸデータ形式への変換を端末装置２１で行う構成とする。
システム構成例は図１、ＦＡＸ装置１１の構成例は図５、端末装置２１の構成例は図６で表される。コンピュータ３１上で作成されたＦＡＸ原稿を送信する手順を以下に示す（図１２）。ＦＡＸ原稿データはＬＡＮを介して送ることができるようパケット化（図８）等の処理が行われた後、有線ＬＡＮを介して端末装置２１へと送られる。
端末装置２１へと送られたデータは有線ＬＡＮＩ／Ｆ２０１より取り込まれる。ＬＡＮを通ってきたデータは、通常パケット化され、プリアンブル・ヘッダ等が付加されている（図８）。このパケット化データからＦＡＸ原稿データ部を抽出或は復元した後、ＦＡＸ装置が受け取ることのできるデータ形式に変換する作業を制御・演算処理部２０５が行う。
変換されたデータは無線通信部２０２より送出される。送出されたこのデータをＦＡＸ装置１１の無線通信部１０１が受信する。受信したデータは、通常無線通信に適したデータ形式になっている。制御・演算処理部１０９は、受信したこのデータをＦＡＸ通信標準で定められているデータに変換した後、電話回線Ｉ／Ｆ１０２からＦＡＸの宛先へと送る。
以下ではコンピュータ・端末装置間、端末装置・ＦＡＸ装置間に関して個別に動作を説明する。
コンピュータと端末装置とはＬＡＮを介して繋がっている。端末装置２１は、電子メールアドレスの宛先の１つとしてＬＡＮ上で稼動している。ＬＡＮ上の他のコンピュータ３１〜３５から、そのメールアドレスにＦＡＸ原稿データ、宛先電話番号等の情報を電子メールで送信すると、それらの情報が端末装置２１に送られる。
端末装置２１に送られたＦＡＸ原稿データは、端末装置２１においてＦＡＸデータ形式に変換され、メモリ２０３に一旦保存される。ここで言うＦＡＸデータ形式とは、ＦＡＸ通信標準で定められているデータ（例：ＭＨ符号化データ）であっても良く、独自のデータ形式であっても良い。独自のデータ形式の場合は、ＦＡＸ装置において独自データ形式からＦＡＸ通信標準で定められているデータに変換される。宛先電話番号等の情報もメモリ２０３に保存される。一旦メモリ２０３に保存されたＦＡＸデータは、ＦＡＸ装置１１から宛先へ送信できるということが確認できたときに送信される。
何らかの理由で、メモリ２０３に保存されたデータが送信できなかった場合は、端末装置２１が送信元の電子メールアドレスに対して、送信が失敗した旨の電子メールを送信する。
端末装置とＦＡＸ装置とは無線で通信を行う。端末装置は、通常、通信相手はＦＡＸ装置１台のみである。ＦＡＸ装置は、一般に１台以上の端末装置と通信する（図１０）。
端末装置２１・ＦＡＸ装置１１間での無線通信によって、端末装置２１はＦＡＸ装置の電話回線が使用中かどうか、ＦＡＸのスキャナ部から原稿が読み込まれているかどうかを知ることができる。電話回線が使用中でなく、且つ、原稿が読み込まれている途中でなければ、メモリ２０３に入っているデータがＦＡＸ装置１１へと送られる（図１３、Ｓ１３０３）。
通信エラー等で送信できなかった場合は、その旨の情報をエラー原因情報と共に電子メールで送信元コンピュータに伝える（Ｓ１３０５）。
端末装置からＦＡＸ装置へ送られたデータは、ＦＡＸ装置の無線通信部１０１で受信される。受信したデータには原稿データ、宛先電話番号データ等が含まれる。原稿データは、制御・演算処理部１０９においてＦＡＸ通信標準で定められているデータに変換された後、宛先の電話番号へ送信が開始される。
以上の実施の形態では、既存のＬＡＮは有線ＬＡＮという前提で述べたが、無線ＬＡＮが既に構築されていれば、その無線ＬＡＮシステム上に本ＦＡＸシステムを構築しても構わない（図１４）。
図４のシステムとの違いは端末装置の存在と、ＦＡＸ装置がＬＡＮに繋がっているかどうかである。  無線ＬＡＮは特定の周波数帯域を共用している。同じ周波数帯域で別の無線ＬＡＮシステムがあったりすると、ＬＡＮの情報伝送速度が遅くなることがある。別の無線ＬＡＮシステムがなかったとしても、図４の無線ＬＡＮの中で任意のコンピュータ間の通信量が大きくなると、対ＦＡＸ装置間のデータ通信が滞り勝ちになることがある。
【００１０】
本発明に係るＦＡＸシステムにおいて端末装置とＦＡＸ装置との間の通信を無線ＬＡＮとは異なる無線通信で実現すれば、端末装置・ＦＡＸ装置間は無線ＬＡＮのトラフィックに影響されることなく通信できる。この場合の端末装置の構成例は図１５、ＦＡＸ装置の構成例は図５である。図１５と図６との違いは無線ＬＡＮＩ／Ｆ１５０１と有線ＬＡＮＩ／Ｆ２０１の部分だけである。
【００１１】
【発明の効果】
以上の説明で明らかなように、本発明によれば、コンピュータからＦＡＸ原稿が送信できるシステムが既存のＬＡＮを利用して構築でき、コンピュータの台数が増えてもＦＡＸシステムのコストは増加せず、ＦＡＸ装置設置の自由度が大きくなる。端末装置・ＦＡＸ装置間の通信はＬＡＮのトラフィックに影響されずに通信できるという効果がある。
【図面の簡単な説明】
【図１】本発明に係るＦＡＸシステムの構成図である。
【図２】従来のＦＡＸシステムの構成図（その１）である。
【図３】従来のＦＡＸシステムの構成図（その２）である。
【図４】従来のＦＡＸシステムの構成図（その３）である。
【図５】本発明に係るＦＡＸシステムの構成要素であるＦＡＸ装置のブロック図である。
【図６】本発明に係るＦＡＸシステムの構成要素である端末装置のブロック図である。
【図７】本発明の実施の形態１におけるＦＡＸ原稿送信手順を示す図である。
【図８】パケット化の説明図である。
【図９】本発明の実施の形態１のコンピュータにおけるＦＡＸデータ送信のフローチャートである。
【図１０】本発明の実施の形態におけるＦＡＸシステムの構成例を示す図である。
【図１１】本発明の実施の形態１に係るＦＡＸ装置におけるＦＡＸデータ送信のフローチャートである。
【図１２】本発明の実施の形態２におけるＦＡＸ原稿送信手順を示す図である。
【図１３】本発明の実施の形態２の端末装置におけるＦＡＸデータ送信のフローチャートである。
【図１４】無線ＬＡＮ上に構築した本発明に係るＦＡＸシステムの構成図である。
【図１５】無線ＬＡＮ上に構築した本発明に係るＦＡＸシステムの構成要素である端末装置のブロック図である。
【符号の説明】
１１ＦＡＸ装置
２１〜２２  端末装置
３１〜３７  コンピュータ
【図１】
2004221833.tif 000003
【図２】
2004221833.tif 000004
【図３】
2004221833.tif 000005
【図４】
2004221833.tif 000006
【図５】
2004221833.tif 000007
【図６】
2004221833.tif 000008
【図７】
2004221833.tif 000009
【図８】
2004221833.tif 000010
【図９】
2004221833.tif 000011
【図１０】
2004221833.tif 000012
【図１１】
2004221833.tif 000013
【図１２】
2004221833.tif 000014
【図１３】
2004221833.tif 000015
【図１４】
2004221833.tif 000016
【図１５】
2004221833.tif 000017